(57)【特許請求の範囲】
【請求項１】
基部と、この基部に基端側が接続される腕部と、この腕部の先端側に設けられる灯具とを有する卓上照明装置において、
前記基部の上端部は、前側が低く、後側が高く形成され、
前記基部に、上方が開放した凹部を形成すると共に、
この凹部に対し着脱可能な受容器を設け、
前記受容器は、前受容器と、後受容器と、前記前受容器と前記後受容器との間に形成された仕切板を有し、
前記前受容器の底部が前記後受容器の底部よりも高く、且つ前記前受容器が前記後受容器よりも浅く形成されたことを特徴とする卓上照明装置。
【請求項２】
前記受容器を前記凹部に装着した状態における前記仕切板の高さを、前記基部の上面と略同じとしたことを特徴とする請求項１記載の卓上照明装置。
【請求項３】
前記基部に操作部を設けると共に、この操作部を前記凹部よりも前に設けたことを特徴とする請求項１記載の卓上照明装置。
【請求項４】
前記凹部を前記基部と一体に形成したことを特徴とする請求項１記載の卓上照明装置。
【請求項５】
前記灯具を水平姿勢とした状態で、この灯具が前記基部よりも前に位置することを特徴とする請求項１記載の卓上照明装置。
【発明の詳細な説明】
【技術分野】
【０００１】
本発明は、電気スタンド等の卓上照明装置に関するものである。
【背景技術】
【０００２】
従来、この種の卓上照明装置としては、筒状の小物入れや箱状のタンス型小物入れを電気スタンドの平板状の台座の上面に着脱可能に設けたものが知られている（例えば、特許文献１参照）。
【先行技術文献】
【特許文献】
【０００３】
【特許文献１】特開平８−２８７７１１号公報
【発明の概要】
【発明が解決しようとする課題】
【０００４】
しかしながら、このような小物入れを電気スタンドの台座上面に取り付けるためには、台座上面の面積を大きくする必要があり、このような電気スタンドを卓上に載置する場合には卓上の多くのスペースを必要とし、卓上の使用範囲が制限されてしまうという問題があった。
【０００５】
また、小物入れが電気スタンドの台座上面に別体として取り付けられた構造であるため、使用者の体の一部や卓上に載置された物等が当たった際に小物入れが台座から外れて転倒し、小物入れに収納していた収納物が散乱してしまう等の虞があった。
【０００６】
さらに、小物入れが灯具の真下に配置されており、小物入れや小物入れに収納した収納物が灯具から放射される光を妨げ、光を照射したい範囲への配光性が低下する虞もあった。
【０００７】
本発明は以上の問題点を解決し、省スペース化を実現すると共に、操作性及び配光性の良い卓上照明装置を提供することを目的とする。
【課題を解決するための手段】
【０００８】
本発明の請求項１に記載の卓上照明装置は、基部と、この基部に基端側が接続される腕部と、この腕部の先端側に設けられる灯具とを有する卓上照明装置において、前記基部の上端部は、前側が低く、後側が高く形成され、前記基部に、上方が開放した凹部を形成すると共に、この凹部に対し着脱可能な受容器を設け、前記受容器は、前受容器と、後受容器と、前記前受容器と前記後受容器との間に形成された仕切板を有し、前記前受容器の底部が前記後受容器の底部よりも高く、且つ前記前受容器が前記後受容器よりも浅く形成されたものである。
【０００９】
また、本発明の請求項２に記載の卓上照明装置は、請求項１において、前記受容器を前記凹部に装着した状態における前記仕切板の高さを、前記基部の上面と略同じとしたものである。
【００１０】
また、本発明の請求項３に記載の卓上照明装置は、請求項１において、前記基部に操作部を設けると共に、この操作部を前記凹部よりも前に設けたものである。
【００１１】
また、本発明の請求項４に記載の卓上照明装置は、請求項１において、前記凹部を前記基部と一体に形成したものである。
【００１２】
また、本発明の請求項５に記載の卓上照明装置は、請求項１において、前記灯具を水平姿勢とした状態で、この灯具が前記基部よりも前に位置するものである。
【発明の効果】
【００１３】
本発明の請求項１に記載の卓上照明装置は、以上のように構成することにより、卓上照明装置の基部に設けた凹部に受容器を取り付けて、その受容器に筆記具等の収納物を収納することができる。また、凹部が基部に設けてあることにより、省スペース化を実現することができる。また、受容器を着脱する際に仕切板を容易に把持することができる。また、収納物を受容器の前後の適した位置に分別して収納することができる。また、収納物の形状や大きさに対応して収納物を分別して収納することができるばかりでなく、小物を前受容器に収納した際に、受容器を全て持ち上げることなく、前受容器に収納した小物を取り出すことができる。
【００１４】
また、本発明の請求項２に記載の卓上照明装置は、以上のように構成することにより、凹部の内部及び受容器の内部を確実に仕切ることができるばかりでなく、仕切板によって基部の輪郭が崩れないようにして外観を良好にすることができる。
【００１５】
また、本発明の請求項３に記載の卓上照明装置は、以上のように構成することにより、収納物が操作部を操作する際の妨げとならず、操作部の操作性を良好に保つことができる。
【００１６】
また、本発明の請求項４に記載の卓上照明装置は、以上のように構成することにより、基部を小型化することができるばかりでなく、凹部を掃除する際に、水が基部内に浸入するのを防止することができる。
【００１７】
また、本発明の請求項５に記載の卓上照明装置は、以上のように構成することにより、受容器又は凹部に収納した収納物が灯具から放射される光の配光性に影響を与えることを防止することできる。
【図面の簡単な説明】
【００１８】
【図１】本発明の実施例１を示す腕部を伸展させた卓上照明装置の斜視図である。
【図２】同、腕部を湾曲させた卓上照明装置の斜視図である。
【図３】同、腕部を伸展させ、受容器を凹部の上方に持ち上げた状態を示した卓上照明装置の斜視図である。
【図４】同、腕部を湾曲させた卓上照明装置の縦断面図である。
【図５】同、腕部を伸展させ、受容器を凹部の上方に持ち上げた状態を示した卓上照明装置の縦断面図である。
【図６】同、卓上照明装置の正面図である。
【図７】同、卓上照明装置の背面図である。
【図８】同、卓上照明装置の左側面図である。
【図９】同、卓上照明装置の平面図である。
【図１０】同、卓上照明装置の底面図である。
【図１１】同、受容器の斜視図である。
【図１２】同、受容器の底面図である。
【発明を実施するための形態】
【００１９】
以下、本発明の第一実施例について、添付図１〜１２を参照して説明する。以下に説明する実施例は、特許請求の範囲に記載された本発明の内容を限定するものではない。また、以下に説明される構成の全てが、本発明の必須要件であるとは限らない。尚、主として図６，８に基づいて前後左右を規定する。即ち、図６における左側を左、右側を右、図８における右側を前、左側を後として説明する。
【実施例１】
【００２０】
１は本発明の卓上照明装置としての電気スタンドである。この電気スタンド１は、合成樹脂製の基部２と、この基部２の上に立設した腕部３と、この腕部３の上端に取り付けられた灯具４とを有して構成される。基部２には上方が開放した凹部５が形成され、この凹部５には着脱可能な受容器６が設けられている。
【００２１】
基部２の外殻は、３つの角である基部角部７がＲ形状を有し、前側の幅が後側の幅より広い平面視略三角柱状に形成され、内部には上方が開放した凹部５が形成されている。基部２の上側の端部である上端部８は後側が高くなっており、側面視で円弧状に形成されている。上端部８のうち最も高い位置に形成された最上端部９には腕部３の下端である腕下端部１０が取り付けられている。また、上端部８は上方に凹のＲ形状を有し、最上端部９は平面状に形成されると共に、基部２の内部に連通する連通孔３１が形成されている。
【００２２】
基部２の前側の外壁である基部前壁１１は、上方に向かって後方に傾斜し、その前面には操作部としてのスイッチ１２が設けられている。このスイッチ１２は円形に形成され、触れることにより灯具４の点灯／消灯を行うことができる。尚、本実施例において、スイッチ１２は、灯具４の点灯／消灯のみを行うものであるが、灯具４から放射される光の量を調節する調節機構を備えていてもよい。
【００２３】
基部２の左右側面から後側に連続した外壁である基部後壁１３は、平面視で後方へ突出するように湾曲しているため、左右方向の幅は後方に向かって縮幅している。
基部後壁１３の後側下端付近には、電気スタンド１に外部電源（図示せず）から電気を供給する電源コード１４を挿通する挿通孔１５が形成されている。電源コード１４は、挿通孔１５を挿通して電気スタンド１の内部から外部へ引き出されている。
【００２４】
基部２の底面である基部底面１６は、図１０に示すとおり、略三角形状を有しており、基部底面１６と基部前壁１１及び基部後壁１３との接続部１７はＲ形状を有している。
【００２５】
図４，５に示すとおり、基部２の内側底部には、重りであるウエイト１８が配設されている。このウエイト１８により電気スタンド１の重心が下がり、電気スタンド１の転倒を防止することができる。また、ウエイト１８の上方には制御回路を配置した回路基板１９が配設されている。この回路基板１９は、操作部１２、電源コード１４、及び照明用ＬＥＤ２０と電気的に接続されている。電気スタンド１は、電源コードを通じて外部電源に接続された状態で、スイッチ１２に触れると、制御回路を介して照明用ＬＥＤ２０に通電され、照明用ＬＥＤ２０が点灯する。この状態で再度スイッチ１２に触れると照明用ＬＥＤ２０への通電が遮断され、照明用ＬＥＤ２０が消灯する。
【００２６】
腕部３は、前面が平面状に形成され、左右側面が湾曲し、後面が後方へ突出した筒形状を有している。腕部３の内部は中空となっており、可撓性を有するフレキシブルシャフト２１が設けられている。腕部３の基端側である腕基端部２２は、基部２の形状と連続した形状を有しているため上方に向かって先細りとなっている。腕基端部２２の上側に形成された腕中間部２３は横幅が略一定に形成されており、腕中間部２３の上側であって腕部３の先端側である腕先端部２４は上方に向かって横幅が幅広に形成されている。腕部３は、図１に示す直線状に伸長した状態から図２に示す前方に湾曲させた状態まで適宜湾曲させることにより灯具４からの照射方向を調節可能となっている。
【００２７】
腕部３の長さは、外殻体２５が水平となるように腕部３を前方に湾曲させた状態で、灯具４が基部２よりも前に位置するように形成されている。これは、電気スタンド１を机やテーブル等に載置して使用する場合には、外殻体２５が水平となるように腕部３を湾曲させるのが通常であり、灯具４が基部２よりも前に位置することにより、灯具４から放射される光が凹部５や受容器６に収納された収納物によって遮断されることなく、適切に配光されるようにするためである。
【００２８】
以下、主に図１，２，４，５を参照して灯具４について詳述する。灯具４は、外殻体２５と、透光体２６と、反射体２７と、光源としての照明用ＬＥＤ２０を有する。
【００２９】
外殻体２５は、光を通さない不透明な合成樹脂により横長略矩形状に形成され、四隅２８はＲ形状を有し、背面である外殻体背面２９が湾曲している。外殻体２５の下端であって左右方向中央やや左側には、灯具４を腕部３に接続する灯具接続部３０が設けられている。この灯具接続部３０は腕部３の形状が連続した形状を有しており、上方に向かって横幅が幅広に形成されている。
【００３０】
照明用ＬＥＤ２０は、金属基板３２上に左右一列に複数並べて設けられ、金属基板３２は、板状の放熱体３３に接続されている。この放熱体３３は、外殻体２５の内面に沿って設けられており、熱伝導性の良いアルミニウム等の金属からなる。
【００３１】
放熱体３３のうち、金属基板３２が設けられた部分以外の部分には、反射体２７が設けられており、照明用ＬＥＤ２０から放射された光を反射して一定の範囲に効率良く配光できるようになっている。照明用ＬＥＤ２０から放射された光は、透光体２６を透過し、一部は外殻体２５の外部へ直接放射され、一部は反射体２７によって反射されて外殻体２５の外部へ放射される。
【００３２】
照明用ＬＥＤ２０の照射側には、合成樹脂製で透光性を有する透光体２６が設けられている。透光体２６は、透明又は半透明のものを用いることができ、照明用ＬＥＤ２０に近接するため、耐熱性に優れた合成樹脂、例えばポリカーボネート等を用いることが好ましい。
【００３３】
凹部５は、図９に示すとおり平面視略三角形状を有し、３つの角である凹部角部３４はＲ形状を有している。また、図４，５に示すとおり凹部５の底部分である凹部底部３５は、前後２段構造を有しており、前側に形成された前段部３６は後側に形成された後段部３７よりも高く形成されている。前段部３６と後段部３７との接続部分には垂直に形成された接続壁３８が形成されている。
【００３４】
凹部５は、基部２の内壁によって形成されており、図４，５に示すとおり、内壁のうち前側部分である前内壁３９は垂直に形成されており、内壁のうち湾曲した後側部分である後内壁４０は後方に傾斜して形成されている。
【００３５】
前内壁３９及び後内壁４０と凹部底部３５との接続部分である第１接続部４１、前段部３６と接続壁３８の接続部分である第２接続部４２、及び、後段部３７と接続壁３８の接続部分である第３接続部４３は全てＲ形状を有しているため、凹部５の内部の汚れを除去する際に水拭き等し易くなっている。また、凹部５が基部２と一体に形成されており、孔や隙間等が存在しないので、凹部５の内部の汚れを除去するために水拭きしても、水が基部の内部に侵入することがない。
【００３６】
凹部５に着脱される受容器６は、前側に形成された前受容器としての前収納部４４と、後側に形成された後受容器としての後収納部４５と、前収納部４４と後収納部４５との間に形成された仕切板４６から構成されている。図９に示すとおり、前収納部４４は平面視略矩形状に形成されており、後収納部４５は平面視略三角形状に形成されている。この受容器６は、合成樹脂により一体に形成されている。
【００３７】
受容器６は、凹部５の形状に対応しているため、平面視略三角形状を有し、３つの角である受容器角部４７はＲ形状を有している。本実施例では、凹部５が前側と後側で異なる形状（平面視略三角形状）を有し、受容器６を凹部５の形状に対応させたことにより、受容器６を凹部５に取り付ける際に、受容器６の向きを容易に判別できるようになっている。尚、凹部５及び受容器６の形状は適宜変更可能である。
【００３８】
受容器６は、凹部５に取り付けられた状態では、前収納部４４の底面である前底面４８が前段部３６と当接し、後収納部４５の底面である後底面４９が後段部３７に当接するように形成されている。すなわち、前収納部４４は後収納部４５よりも浅く形成され、前底面４８と後底面４９との段差は、前段部３６と後段部３７との段差と等しくなっている。また、前収納部４４の前後方向の幅は、前段部３６の前後方向の幅よりも短く形成されている。
【００３９】
図４，５に示すとおり、前収納部４４の前側及び左右側面を形成する壁である前収納壁５０の上端の位置と、後収納部４５の後側及び左右側面を形成する壁である後収納壁５１の上端の位置は等しい高さとなるように形成されている。また、前収納壁５０の前側の壁である前側収納壁５２は前内壁３９に対応して垂直に形成され、後収納壁５１の後側の壁である後側収納壁５３は後内壁４０に対応して後方に傾斜して形成されている。また、前収納壁５０は仕切板４６の前側の壁である仕切板前壁５４の略１／３の高さに形成され、後収納壁５１は仕切板４６の後側の壁である仕切板後壁５５の略１／２の高さに形成されている。なお、前収納壁５０と後収納壁５１の高さは適宜変更可能であり、両者の高さを異なるものとしてもよい。
【００４０】
仕切板４６は、前側の壁である仕切板前壁５４と、後側の壁である仕切板後壁５５と、左右の側壁である仕切板側壁５６と、仕切板前壁５４と仕切板後壁５５とを上部で接続するＲ形状の頂部５７とで形成されており、下方が開口した中空形状となっている。仕切板側壁５６の外面は前収納壁５０の外面及び後収納壁５１の外面と面一に形成されている。この仕切板４６は、前収納部４４と後収納部４５とを仕切るだけでなく、受容器６を凹部５に着脱する際に把持する把持部としても機能する。
【００４１】
前収納壁５０と前底面４８との接続部分である第４接続部５８、仕切板前面５４と前底面４８との接続部分である第５接続部５９、仕切板後面５５と後底面４９との接続部分である第６接続部６０、及び、後収納壁５１と後底面４９との接続部分である第７接続部６１は全てＲ形状を有しているため、受容器６の表面の汚れを除去する際に水拭き等し易くなっている。
【００４２】
受容器６を凹部５に取り付けた状態では、前収納壁５０と後収納壁５１はそれぞれ前内壁３９と後内壁４０に当接し、仕切板後壁５５の下側部が接続壁３８と当接する。そのため、受容器６は凹部５に確実に取り付けることができる。また、受容器６を凹部５に取り付けた状態では、仕切板４６の頂部５７が基部２の上端部８の対応する位置と略等しい高さとなっている。
【００４３】
受容器６に収納物を収納する場合について説明する。受容器６の後収納部４５には、鉛筆やペン等、比較的長い収納物が収納される。前述した通り、後収納部４５が相対的に深く形成され、また、凹部５の後内壁４０が前内壁３９に比べて高く形成されるので、長い収納物は安定して収納される。一方、受容器６の前収納部４４には、消しゴムや付箋等、比較的小さい収納物が収納される。前述した通り、前収納部４４が相対的に浅く形成され、また、凹部５の上端部８が前側ほど低く形成されるので、凹部５に指を入れて掴むことで、収納物は容易に取り出される。また、前記仕切板４６を把持して少し持ち上げるだけで、前収納部４４に収納された収納物をより簡単に取り出すことができる。なお、前述した通り、前収納部４４が比較的浅く、且つ上端部８が前側ほど低く形成されるので、受容器６を全て凹部５から取り出さなくても、収納物を前収納部４４から取り出すことができる。
【００４４】
以上のように、本実施形態の卓上照明装置としての電気スタンド１は、基部２と、この基部２に基端側が接続される腕部３と、この腕部３の先端側に設けられる灯具４とを有する電気スタンド１において、前記基部２に、上方が開放した凹部５を形成すると共に、この凹部５に対し着脱可能な受容器６を設けたことにより、電気スタンド１の基部２に設けた凹部５に受容器６を取り付けて、その受容器６に筆記具等の収納物を収納することができる。また、凹部５が基部２に設けてあることにより省スペース化を実現することができる。
【００４５】
また、前記受容器６の中央に仕切板４６を設けると共に、前記受容器６を前記凹部５に装着した状態における前記仕切板４６の高さを、前記基部２の上面としての上端部８と略同じとしたことにより、仕切板４６を把持して受容器６を着脱することができる。また、仕切板４６によって凹部５及び受容器６を確実に仕切ることができる。更に、仕切板４６によって基部２の輪郭が崩れないようにして、外観を良好にすることができる。
【００４６】
また、前記仕切板４６によって前記受容器６が前後に区画されることにより、前収納部４４に小物、後収納部４５に長物といったように、収納物を凹部５及び受容器６の前後の適した位置に分別して収納することができる。
【００４７】
また、前記仕切板４６によって区画される前受容器としての前収納部４４が後受容器としての後収納部４５よりも浅く形成されることにより、収納物の形状や大きさに対応して収納物を前収納部４４と後収納部４５にそれぞれ分別して収納することができる。また、小物を前収納部４４に収納した際に、受容器６を全て持ち上げることなく、前収納部４４に収納した小物を取り出すことができる。
【００４８】
また、前記基部２に操作部としてのスイッチ１２を設けると共に、このスイッチ１２を前記凹部５よりも前に設けたことにより、凹部５及び受容器６に収納した収納物がスイッチ１２を操作する際の妨げとならず、スイッチ１２の操作性を良好に保つことができる。
【００４９】
また、前記凹部５を前記基部２と一体に形成したことにより、電気スタンド１をコンパクトに形成することができる。また、凹部５が基部２と一体となっていることから、凹部５が基部２から外れて凹部５が転倒し、凹部５に収納した収納物が散乱することを防止できる。更に、凹部５を掃除する際に、水が基部２内に浸入することを防止することができる。
【００５０】
また、前記灯具４を水平姿勢とした状態で、この灯具４が前記基部２よりも前に位置することにより、凹部５及び受容器６に収納した収納物が灯具４から放射される光の配光性に影響を与えることを防止することできる。
【００５１】
なお、本発明は上記実施形態に限定されるものではなく、本発明の要旨の範囲内において、種々の変形実施が可能である。例えば、上述した実施形態においては、受容器が仕切板によって前後に仕切られているが、左右に仕切ってもよく、また、収納部を１箇所又は３箇所以上としてもよい。
【符号の説明】
【００５２】
１  電気スタンド（卓上照明装置）
２  基部
３  腕部
４  灯具
５  凹部
６  受容器
８  上端部（上面）
１２  スイッチ（操作部）
４４  前収納部（前受容器）
４５  後収納部（後受容器）
４６  仕切板
【図１】
0006608621.tif 000002
【図２】
0006608621.tif 000003
【図３】
0006608621.tif 000004
【図４】
0006608621.tif 000005
【図５】
0006608621.tif 000006
【図６】
0006608621.tif 000007
【図７】
0006608621.tif 000008
【図８】
0006608621.tif 000009
【図９】
0006608621.tif 000010
【図１０】
0006608621.tif 000011
【図１１】
0006608621.tif 000012
【図１２】
0006608621.tif 000013